(57)【要約】【課題】釣り糸への釣り糸係止部の取付けが容易で、取り付けた釣り糸が脱落しにくいイカ釣り用ヤエンを提供すること。【解決手段】釣り糸係止部２２を介して、釣り糸８に沿って移動するように取り付けるイカ釣り用ヤエン１０であって、釣り糸係止部２２は、フック部材２８と該フック部材２８の自由端２８ｅの外側に配されて該フック部材２８の自由端２８ｅとの間に釣り糸導入部を３６形成する突片３０ｃを有するイカ釣り用ヤエン。【選択図】図３
2008131933.tif 000002
【特許請求の範囲】
【請求項１】
釣り糸係止部を介して、釣り糸に沿って移動するように取り付けるイカ釣り用ヤエンであって、
前記釣り糸係止部は、フック部材と該フック部材の自由端の外側に配されて該フック部材の自由端との間に釣り糸導入部を形成する突片を有していることを特徴とするイカ釣り用ヤエン。
【請求項２】
前記フック部材の自由端と突片とは、互いに反対方向に向けて配置されていることを特徴とする請求項１記載のイカ釣り用ヤエン。
【請求項３】
前記釣り糸導入部は、フック部材の自由端と突片との間に沿って形成された間隙であることを特徴とする請求項１または２記載のイカ釣り用ヤエン。
【請求項４】
前記突片は、フック部材側に凹部が形成されていることを特徴とする請求項１乃至３記載のイカ釣り用ヤエン。
【請求項５】
前記突片は、フック部材の自由端を囲むループ状形状を有することを特徴とする請求項１に記載のイカ釣り用ヤエン。
【発明の詳細な説明】
【技術分野】
【０００１】
本発明は、釣り糸係止部を介して、釣り糸に沿って移動するように取り付けるイカ釣り用ヤエンに関する。
【背景技術】
【０００２】
一般に、イカ釣りには、餌木やスッテやイカツノなどの疑似餌を使用するもの、生き餌を使用するものの他、ヤエンを使った釣りが行われている。通常、このようなヤエンを使ったイカ釣りは、次のように行う。
【０００３】
まず、リールを取り付けた釣り竿から延びる釣り糸の先端に、アジ等の生き餌を取り付ける。生き餌を水中で泳がせ、この生き餌にイカが抱きつくのを待つ。この状態では、生き餌を取り付けた仕掛けには釣り針が設けられていない。
【０００４】
そして、イカが生き餌に抱きついたところでイカ釣り用ヤエンを、その釣り糸係止部を介して釣り糸に取り付け、釣り糸を張りながらイカ釣り用ヤエンを釣り糸に沿ってイカの近傍まで移動させる。このイカ釣り用ヤエンには、釣り針が設けられており、この釣り針にイカを引っ掛けることができる。
【０００５】
このようなイカ釣り用ヤエンは、生き餌にイカが抱きついた時点で、釣り糸をたぐって、素早く、確実に（脱落しないように）、釣り糸に取り付けることが重要である。
【０００６】
このため、糸係合部の釣り糸と摺接する部分をチタン合金等でコーティングし、あるいは、釣り糸に転がり接触するプーリを設け、永年使用しても釣り糸の円滑な滑りを悪化させないヤエンが開発されている（例えば特許文献１参照）。
【０００７】
また、掛針を固定した細長い本体から略９０度に屈曲されたガイドの先端を渦巻状に巻回して釣糸係合部を形成し、この渦巻に沿って釣糸係合部内に釣糸を案内するヤエンも開発されている（例えば特許文献２参照）。
【０００８】
更に、イカを引掛ける針体を一端側に取り付けた棒材から、複数の立設材を離間させて立設し、これらの立設材の先端部に設ける道糸係止部を、フック部とこのフック部の先端近傍部に接触するようにフック部の基端から突出する弾性突片とで形成したイカ釣針が開発されている（例えば特許文献３参照）。
【特許文献１】特開２００３−３２５０８６
【特許文献２】特開２００３−２３９３６
【特許文献３】実用新案登録第３０７１２７４号公報
【発明の開示】
【発明が解決しようとする課題】
【０００９】
しかし、釣り糸の円滑な滑りを維持するためにチタン合金等でコーティングしあるいはプーリを設けた釣糸係合部は、糸係合部がリング状に形成されており、隙間を形成した下端部から内部に釣糸を押し込むだけのものである。この下端部の隙間には、糸係合部の内側および外側に向けて拡大する導入部が設けられており、糸係合部からの釣り糸の脱落を防止する手段は何も設けられていない。このため、糸係合部の下端部の隙間の大きさによっては、釣り糸に抵抗が形成されるとしても、糸係合部から釣り糸が脱落する虞がある。また、釣り糸がプーリの側部に引っ掛かると、プーリの回転が阻止され、釣り糸の途中で停止してしまう可能性がある。
【００１０】
また、ガイドの先端を渦巻状に巻回して釣糸係合部を形成したヤエンの場合には、釣糸係合部の渦巻に沿って釣り糸を滑らせつつ内部に挿通させるため、釣り糸の取付けが困難である。
【００１１】
更に、フック部の先端近傍部に接触するようにフック部の基端から弾性突片を突出させたイカ釣針の場合には、釣り糸に取付ける際、フック部の先端の開口を閉塞している弾性突片を、釣り糸で押圧して弾性変形させながらフック部内に釣り糸を係止するものであるため、弾性突片を押圧して変形させるときに釣り糸に作用する負担が大きく、釣り糸に対する損傷が懸念される。更に、この弾性突片が破損する虞もある。
【００１２】
本発明は、このような事情に基づいてなされたもので、釣り糸への釣り糸係止部の取付けが容易で、取り付けた釣り糸が脱落しにくいイカ釣り用ヤエンを提供することを目的とする。
【課題を解決するための手段】
【００１３】
上記課題を解決するため、本発明によると、釣り糸係止部を介して、釣り糸に沿って移動するように取り付けるイカ釣り用ヤエンであって、前記釣り糸係止部は、フック部材と該フック部材の自由端の外側に配されて該フック部材の自由端との間に釣り糸導入部を形成する突片を有しているイカ釣り用ヤエンが提供される。
【００１４】
前記フック部材の自由端と突片とは、互いに反対方向に向けて配置されていることが好ましい。
【００１５】
また、前記釣り糸導入部は、フック部材の自由端と突片との間に沿って形成された間隙であってもよい。
【００１６】
更に、前記突片は、フック部材側に凹部が形成されていることが好ましい。
【００１７】
更に、前記突片は、フック部材の自由端を囲むループ状形状を有してもよい。
【発明の効果】
【００１８】
本発明のイカ釣り用ヤエンによると、フック部材の自由端の外側に突片が配置されることにより、この突片がフック部材の内部に形成される開口を閉じると共に、このフック部材の自由端との間に形成した釣り糸導入部を通してフック部材の内部に挿通させることができ、釣り糸係止部への釣り糸の取り付けが容易で、取り付けた釣り糸から脱落し難いイカ釣用ヤエンを形成することができる。
【００１９】
フック部材の自由端と突片とが互いに反対方向に向く場合には、フック部材の自由端が形成する開口部を、小さな突片で効果的に閉じることができる。
【００２０】
また、釣り糸導入部がフック部材の自由端と突片との間に沿って形成された間隙である場合には、釣り糸導入部がフック部材の自由端に沿って形成されることにより、このフック部材の自由端に沿って釣り糸を滑らせることで、釣り糸に容易に取付けることができる。
【００２１】
更に、突片が、フック部材側に凹部を形成される場合には、この突片の凹部内に、フック部材の自由端を配置することで、釣り糸導入部の断面形状を複雑にし、偶発的な脱落を防止することができる。
【００２２】
更に、突片が、フック部材の自由端を囲むループ状形状に形成される場合には、フック部材の自由端の位置を容易に確認することができる。
【発明を実施するための最良の形態】
【００２３】
図１から図４は、本発明の好ましい実施形態によるイカ釣り用ヤエン１０を示す。
【００２４】
図１および図２に全体を示すように、本実施形態のイカ釣り用ヤエン１０は、長手方向に延びる基軸１２を有し、この基軸１２の先端側に釣り針１４を固定し、後端側には重り部１６を設けてある。この基軸１２は、金属あるいは樹脂で形成した細長いロッド状形状を有し、釣針１４は、基軸１２の一側すなわち釣り糸８に取付けたとき上方に向く側で、複数の針を傘状に突出させたイカ釣用のかけ針で形成してある。図示の実施形態では、３つの釣針１４を等間隔で配置してあるが、このような釣針１４は一つでもよく、あるいは４つ以上でもよい。また、複数の釣針１４を配置する場合は、等間隔に配置することに代え、それぞれの間隔を適宜に変更させてもよい。
【００２５】
後端側に位置する重り部１６は、イカ釣り用ヤエン１０の重心位置の調整およびその姿勢を安定させるために、例えば鉄、ステンレス、タングステン、鉛等の金属により板状構造に形成してある。この重り部１６は、釣針２４と反対側すなわち下側を後方に向けて僅かに傾斜させ、上側の縁部に沿って傾斜面１８を形成すると共に、先端側に向けて収束する略三角形状の偏平形状を有する。これにより、水中に突入した際の抵抗を小さくし、釣り糸８に沿って滑らかに移動することができる。
【００２６】
本実施形態のイカ釣り用ヤエン１０は、基軸１２から上方に向けて３つの支軸２０が互いに間隔をおいて突出し、それぞれの先端に設けた釣り糸係止部２２を介して、このイカ釣り用ヤエン１０を釣り糸８に取付けるようになっている。これらの支軸２０は金属の線材で形成してあり、基軸１２と一体部材であってもよく、あるいは、接着材、ろう付け、糸巻等の適宜の手段を用いて基軸１２に固定したものでもよい。また、必要な場合には、図示のように基軸１２に対して直立させることに代え、前方あるいは後方に傾斜させてもよい。傾斜させる場合は、支軸２０のそれぞれの傾斜する方向および角度を変化させてもよい。図示の実施形態のように、２つの支軸２０同士を連結材２４で連結し、この連結材２４および支軸２０を更に連結材２６で基軸１２に連結することにより、基軸１２の剛性を増大し、取扱いを容易にすることができる。
【００２７】
これらの３つの支軸２０のうち、前方の２つはほぼ同じ高さに形成され、後方の１つの支軸２０は、最も高位置まで延び、釣り糸８の弛み状態に対応させてある。このように後方の支軸２０が長く、後方の釣り糸係止部22が高位置になるようにすると、特に前方の釣針１４を釣り糸８の傾斜に沿って、釣り糸８にからむことを防止しながら所要位置に案内することができる。
【００２８】
図３および図４に拡大して示すように、本実施形態の釣り糸係止部２２は、支軸２０の先端をフック状に湾曲して形成したフック部材２８と、この支軸２０に固定された合成樹脂又は金属製の爪部材３０とを備えており、フック部材２８に形成される開口部３２が、爪部材３０の突片３０ｃで閉じられる。
【００２９】
フック部材２８は、支軸２０と一体部材すなわちこの支軸２０からの移行部である基部２８ａと、この基部２８ａの軸線に対して外方に湾曲しつつ延びる往片部２８ｂと、折返し部２８ｃを介して逆方向に湾曲しつつ基部２８ａに向けて延びる復片部２８ｄとを有し、この復片部２８ｄの先端部である自由端２８ｅと基部２８ａとの間に、開口部３２が形成され、この開口部３２を介してフック部材２８の中央開口３４が外部に連通する。このフック部材２８の折返し部２８ｃは、基部２８ａの延長線上に配置され、自由端２８ｅは下向きで基部２８ａと略平行に配置される。
【００３０】
爪部材３０は、合成樹脂で形成され、フック部材２８の基部２８ａに固定される装着部３０ａと、この装着部３０ａからフック部材２８の往片部２８ｂの外側を覆った状態でこの往片部２８ｂに沿って延びる支持脚３０ｂと、フック部材２８の自由端２８ｅと反対方向に向けて延びる突片３０ｃとを有し、この突片３０ｃがフック部材２８の開口部３２を閉じる。フック部材２８の自由端２８ｅが基部２８ａに向けて延びるのに対して、突片３０ｃが基部２８ａから延びることにより、長さの短い突片３０ｃでもフック部材２８の開口部３２を効果的に閉じることができる。
【００３１】
この突片３０ｃは、装着部３０ａから開口部３２を超えて、フック部材２８の自由端２８ｅの外側に重なる状態に配置されており、先端部のフック部材２８側に湾曲面３０ｄが形成されている。この突片３０ｃは、フック部材２８の自由端２８ｅとの間に、釣り糸８の径よりも大きく離隔する間隙３６を釣り糸導入部として形成する。この間隙３６は、フック部材２８の折返し部２８ｃ側で外部に連通し、突片３０ｃの先端部に形成した湾曲面３０ｄに沿って導入された釣り糸８を、図３に矢印ｔで示すように、基部２８ａ側で開口部３２を介してフック部材２８の中央開口３４内に案内することができる。この突片３０ｃが自由端２８ｅと重なる長さは、中央開口３４から釣り糸８が脱落するのを防止することができるものであれば、適宜の長さでよい。
【００３２】
フック部材２８の自由端２８ｅに沿って突片３０ｃとの間に形成されたこのような間隙３６で釣り糸導入部が形成されることにより、このフック部材２８の自由端２８ｅに沿って釣り糸８を滑らせることで、釣り糸係止部２２に釣り糸８を容易かつ迅速に取付けることができる。
【００３３】
特に図４から明らかなように、この突片３０ｃは、フック部材２８に対向する側に、長さ方向に溝状に延びる凹部３８を形成しており、この凹部３８内にフック部材２８の自由端２８ｅが配置される。この場合には、釣り糸導入部３６は釣り糸８の延在方向に沿って蛇行状態の断面形状を形成すると共に、自由端２８ｅが略Ｕ字状の断面形状を有する凹部３８内に収容されることにより、この自由端２８ｅの端部が中央開口３４内に突出することがない。これにより、フック部材２８の中央開口３４は、図３から明らかなように、往片部２８ｂおよび復片部２８ｄと共に、開口部３２を閉じる突片３０ｃの滑らかに湾曲した内縁部４０で囲まれ、釣り糸８が損傷するのが防止される。更に、図釣り糸８が自然の状態で引出されている状態では、中央開口３４内の釣り糸８が釣り糸導入部３６内に入り込むことはなく、したがって、釣り糸８からの脱落が防止される。
【００３４】
この釣り糸係止部２２に釣り糸８を係止する場合は、図３に鎖線で示すように、釣り糸８を、釣り糸導入部３６の上方すなわちフック部材２８の折返し部２８ｃ側の開口端から差し込み、この釣り糸８を突片３０ｃの湾曲面３０ｄに沿って滑らせつつ、釣り糸導入部３６内に押し込む。釣り糸８は、フック部材２８の自由端２８ｅで突片３０ｃの凹部３８内に押圧され、図４に示すように蛇行し、このように曲がった状態で釣り糸導入部３６内を移動し、自由端２８ｅの端部を超えると、開口部３２に達し、中央開口３４内に移動する。中央開口３４内の釣り糸８は、その弾性により蛇行状態から真直ぐな状態に復帰する。
【００３５】
したがって、釣り糸８は傷付けられることもなく、この釣り糸係止部２２に迅速かつ容易に取り付けられる。また、釣り糸８がこの釣り糸係止部２２から偶発的に脱落するのが確実に防止される。
【００３６】
釣り糸８から釣り糸係止部２２を取外す場合は、中央開口３４内の釣り糸８を湾曲させ、この湾曲部をフック部材２８の開口部３２から爪部３０ｃの凹部３８内に押し当て、釣り糸導入部３６内に移動する。この後、釣り糸導入部３６の折返し部２８ｃ側の開口端から抜出し、釣り糸８を係止部２２から取外す。
【００３７】
図５は変形例による釣り糸係止部４２を示す。なお、この変形例も基本的には上述の実施形態と同様であり、同様な部位には同様な符号を付し、詳細な説明は省略する。
【００３８】
この変形例の釣り糸係止部４２では、フック部材２８の基部２８ａをフック部材２８の自由端２８ｅの外側に沿って延設し、この延設端を折り曲げて突片４４を形成した後、もう一度、上方に向けて往片部２８ｂ、折返し部２８ｃ、復片部２８ｄを折り返してループ状に湾曲させて、復片部２８ｄの自由端２８ｅを突片４４の内側に配置することで形成してある。
【００３９】
この変形例の釣り糸係止部４２においても、釣り糸８は傷付けられることもなく、迅速かつ容易に取り付けられる。また、釣り糸８がこの釣り糸係止部４２から偶発的に脱落するのが確実に防止される。この釣り糸係止部４２は、金属の線材を折り曲げることにより、極めて簡単かつ低コストで形成することができる。なお、この釣り糸係止部４２の突片４４は、金属線材を屈曲させて形成することに代え、合成樹脂で形成しても良い。
【００４０】
図６から図８は、他の変形例による釣り糸係止部５２を示す。
【００４１】
この釣り糸係止部５２は、図６に示すように、フック部材２８の基部２８ａに、例えば支軸２０と同様な金属の線材をループ状形状に湾曲させて突片５４を形成し、この突片５４を、フック部材２８の基部２８ａに止着部５６で止着してある。この止着部５６は、上述の爪部材３０と同様な樹脂あるいは金属で形成してもよく、また、糸やワイヤを巻回してもよい。
【００４２】
フック部材２８の自由端２８ｅは、図３および図４に示す実施形態と同様に、支軸２０とほぼ平行に延設され、ループ状の突片５４で囲まれた状態に配置される。したがって、この自由端２８ｅは、図７および図８に示すように、突片５４を貫通して形成された開口５８内に差し込まれた状態に配置される。なお、自由端２８ｅは、この開口５８を貫通して、反対側から大きく突出しないことが好ましい。
【００４３】
この釣り糸係止部５２によれば、ループ状形状の突片５４の開口５８内にフック部材２８の自由端２８ｅが入り込んでいることにより、このフック部材２８と突片５４との間にも、上述の実施形態における凹部３８と同様に、釣り糸８が湾曲しなければ通過できない間隙３６を形成する。これにより、図７に鎖線で示す釣り糸８を、間隙３６から矢印ｔに沿ってフック部材２８の中央開口３４内に容易に挿入することができると共に、釣り糸８がフック部材２８の中央開口３４から脱落するのを防止することができる。
【００４４】
この釣り糸係止部５２は、突片５４の全体にわたって開口５８を形成し、両端の脚部５５ａ，５５ｂを止着部５６により、基部２８ａに一体に固定しているが、双方の脚部５５ａ，５５ｂの一方のみを基部２８ａに固定し、他方は止着部５６よりも先端側に配置して突片５４の中間部に固定してもよい。この場合には、開口５８の開口面積は小さくなる。いずれの場合も、突片５４がフック部材２８の自由端２８ｅを囲むループ状形状に形成されることにより、この突片５４に貫通して形成された開口５８を通してフック部材２８の自由端２８ｅの位置を容易に確認することができ、釣り糸８の着脱を容易に行うことができる。
【００４５】
また、突片５４を支軸２０と別部材で形成することに代え、図５に示す変形例と同様に、フック部材２８の基部２８ａと一体に形成することも可能である。
【００４６】
図９および図１０は、このような釣り糸係止部２２，４２，５２を支軸２０の先端に設けたイカ釣り用ヤエン１０を用いたイカ釣を示す。
【００４７】
まず、図９に示すように、リール６を取り付けた釣り竿４から延びる釣り糸８の先端に、例えば鯵等の生き餌Ｌを取り付け、水中で泳がせておく。アオリイカＣが生き餌に抱きついたところで、図１０に順に実線と鎖線とで示すように、イカ釣り用ヤエン１０を、その釣り糸係止部２２，４２を介して釣り糸８に取り付け、釣り糸８を張りながらイカ釣り用ヤエン１０を釣り糸８に沿ってイカＣの近傍まで移動させる。このイカ釣り用ヤエン１０の先端１０の設けた釣り針１４にイカＣを引っ掛かけることができる。このイカ釣用ヤエン１０の水中での位置を確認し易くするため、例えば赤等の海中で目立つ色に着色しておくことが好ましい。
【００４８】
以上、種々の実施形態および変形例について説明してきたが、本発明のイカ釣り用ヤエンは、上述の実施形態あるいは変形例に限定されるものではなく、それぞれ適宜に変更し、組合せ可能なことは明らかである。
【図面の簡単な説明】
【００４９】
【図１】本発明の好ましい実施形態によるイカ釣り用ヤエンの全体説明図。
【図２】図１のイカ釣り用ヤエンを釣り糸に取り付けた状態の説明図。
【図３】図１のイカ釣り用ヤエンの釣り糸係止部を拡大した説明図。
【図４】図３のＩＶ−ＩＶ線に沿う断面図。
【図５】変形例による釣り糸係止部の説明図。
【図６】他の変形例による釣り糸係止部の概略を示す斜視図。
【図７】図６の釣り糸係止部の断面図。
【図８】図７のＶＩＩＩ−ＶＩＩＩ線に沿う断面図。
【図９】イカ釣り用ヤエンを用いるイカ釣り状態の説明図。
【図１０】イカ釣り用ヤエンを釣り糸に取り付けてイカを掛けるときの説明図。
【符号の説明】
【００５０】
８…釣り糸、１０…イカ釣り用ヤエン、２２…釣り糸係止部、２８…フック部材、２８ｅ…自由端、３６…釣り糸導入部、３０ｃ…突片。
【図１】
2008131933.tif 000003
【図２】
2008131933.tif 000004
【図３】
2008131933.tif 000005
【図４】
2008131933.tif 000006
【図５】
2008131933.tif 000007
【図６】
2008131933.tif 000008
【図７】
2008131933.tif 000009
【図８】
2008131933.tif 000010
【図９】
2008131933.tif 000011
【図１０】
2008131933.tif 000012